【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
異なる極性を有する２つの端子を含み、前記２つの端子から駆動信号を出力する送信制御手段と、
異なる極性を有する２つの端子を含み、前記送信制御手段から出力された前記駆動信号が前記２つの端子に入力されることによって超音波を送信する送信手段と、
異なる極性を有する２つの端子を含み、前記送信手段から送信された超音波を受信して、受信した超音波に応じて前記２つの端子から受信信号を出力する受信手段と、
異なる極性を有する２つの端子を含み、前記受信手段から出力された前記受信信号が前記２つの端子に入力される受信制御手段と、
前記受信制御手段に入力された前記受信信号に基づいて、前記送信制御手段の２つの端子と前記送信手段の２つの端子の組、前記受信手段の２つの端子と前記受信制御手段の２つの端子の組のいずれか一方の組が、それぞれ極性が一致しないように接続されており、他方の組が、それぞれ極性が一致するように接続されている所定の状態であるか否かを判断し、前記所定の状態であると判断した場合、前記受信信号の波形を反転させるように制御し、波形が反転させられた前記受信信号であって、前記送信手段と前記受信手段の間に記録材が搬送された状態で得られた前記受信信号の振幅値に基づいて、前記記録材の種類を判別する制御手段と、を有することを特徴とする記録材判別装置。
【請求項２】
前記制御手段が、前記受信制御手段に入力された前記受信信号に基づいて、前記送信制御手段の２つの端子と前記送信手段の２つの端子の組、前記受信手段の２つの端子と前記受信制御手段の２つの端子の組の両方の組が、それぞれ極性が一致するように接続されており、または両方の組が、それぞれ極性が一致しないように接続されており、前記所定の状態ではないと判断した場合、前記受信信号の波形を反転させるように制御せず、波形が反転させられていない前記受信信号であって、前記送信手段と前記受信手段の間に記録材が搬送された状態で得られた前記受信信号の振幅値に基づいて、前記記録材の種類を判別することを特徴とする請求項１に記載の記録材判別装置。
【請求項３】
前記制御手段は、前記送信制御手段から出力される前記駆動信号の波形を反転させることによって、前記受信信号の波形を反転させることを特徴とする請求項１または２に記載の記録材判別装置。
【請求項４】
前記駆動信号はハイレベルとローレベルを繰り返すパルス信号であり、前記制御手段は前記パルス信号のハイレベルとローレベルを反転させることによって、前記受信信号の波形を反転させることを特徴とする請求項３に記載の記録材判別装置。
【請求項５】
前記制御手段は、前記送信手段から前記超音波の送信を開始したタイミングから所定の時間が経過したタイミングに取得された前記受信信号の振幅が閾値を超えていなければ前記所定の状態であると判断し、前記受信信号の振幅が前記閾値を超えていれば前記所定の状態ではないと判断することを特徴とする請求項１乃至４のいずれか１項に記載の記録材判別装置。
【請求項６】
前記制御手段は、前記所定の状態の場合に前記受信信号の波形を反転させるように制御し、波形が反転させられた前記受信信号であって、前記送信手段から前記超音波の送信を開始したタイミングから前記所定の時間が経過したタイミングに取得された前記受信信号の振幅に基づいて、前記記録材の種類を判別することを特徴とする請求項５に記載の記録材判別装置。
【請求項７】
前記制御手段は、前記所定の状態の場合に前記受信信号の波形を反転させるように制御し、波形が反転させられた前記受信信号であって、前記送信手段から前記超音波の送信を開始したタイミングから前記所定の時間が経過したタイミングに取得された前記受信信号の振幅が前記閾値を超えていなければ、前記送信手段または前記受信手段の故障であると判断することを特徴とする請求項５または６に記載の記録材判別装置。
【請求項８】
前記記録材判別装置の環境温度を検知する温度検知手段をさらに有し、
前記制御手段は、前記温度検知手段により検知された前記環境温度に基づき前記所定の時間を演算することを特徴とする請求項５乃至７のいずれか１項に記載の記録材判別装置。
【請求項９】
異なる極性を有する２つの端子を含み、前記２つの端子から駆動信号を出力する送信制御手段と、
異なる極性を有する２つの端子を含み、前記送信制御手段から出力された前記駆動信号が前記２つの端子に入力されることによって超音波を送信する送信手段と、
異なる極性を有する２つの端子を含み、前記送信手段から送信された超音波を受信して、受信した超音波に応じて前記２つの端子から受信信号を出力する受信手段と、
異なる極性を有する２つの端子を含み、前記受信手段から出力された前記受信信号が前記２つの端子に入力される受信制御手段と、
記録材の種類の判別のために用いられる複数の情報が記憶された記憶手段と、
前記受信制御手段に入力された前記受信信号に基づいて、前記送信制御手段の２つの端子と前記送信手段の２つの端子の組、前記受信手段の２つの端子と前記受信制御手段の２つの端子の組のいずれか一方の組が、それぞれ極性が一致しないように接続されており、他方の組が、それぞれ極性が一致するように接続されている第１の状態であるか、もしくは、前記送信制御手段の２つの端子と前記送信手段の２つの端子の組、前記受信手段の２つの端子と前記受信制御手段の２つの端子の組の両方の組が、それぞれ極性が一致するように接続されている、または両方の組が、それぞれ極性が一致しないように接続されている第２の状態であるかを判断し、前記第１の状態であると判断した場合、前記記憶手段に記憶された前記複数の情報の中から第１の情報を選択し、前記第２の状態であると判断した場合、前記記憶手段に記憶された前記複数の情報の中から第２の情報を選択し、前記選択した情報と、前記送信手段と前記受信手段の間に記録材が搬送された状態で得られた前記受信信号の振幅値に基づいて、前記記録材の種類を判別する制御手段と、を有することを特徴とする記録材判別装置。
【請求項１０】
前記記憶手段に記憶された前記複数の情報とは、前記受信信号の振幅値と前記記録材の種類の関係を示す複数のテーブルであり、
前記制御手段は、前記第１の状態であると判断した場合、前記複数のテーブルの中から第１のテーブルを選択し、前記第２の状態であると判断した場合、前記複数のテーブルの中から第２のテーブルを選択することを特徴とする請求項９に記載の記録材判別装置。
【請求項１１】
前記受信制御手段は、前記受信手段が出力する前記受信信号のゼロクロスを検知してゼロクロス信号を出力し、
前記制御手段は、前記送信手段から前記超音波の送信を開始したタイミングから前記ゼロクロス信号の立下りタイミングまでの経過時間が第１の閾値よりも短い場合、前記第１の状態であると判断し、前記経過時間が第１の閾値よりも長い場合、前記第２の状態であると判断することを特徴とする請求項９または１０に記載の記録材判別装置。
【請求項１２】
前記制御手段は、前記経過時間が前記第１の閾値よりも大きな第２の閾値を超えている場合、前記送信手段または前記受信手段の故障であると判断することを特徴とする請求項１１に記載の記録材判別装置。
【請求項１３】
前記受信制御手段は、前記送信手段から前記超音波の送信を開始したタイミングからの経過時間を計時し、計時した前記経過時間が所定の時間を超えると前記ゼロクロスの検知を開始することを特徴とする請求項１１または１２に記載の記録材判別装置。
【請求項１４】
前記受信制御手段は、前記受信信号の振幅値をピークホールドし、前記制御手段は、前記選択した情報と、前記ゼロクロス信号の立下りタイミングで得られた前記受信信号の振幅値に基づいて、前記記録材の種類を判別することを特徴とする請求項１１乃至１３のいずれか１項に記載の記録材判別装置。
【請求項１５】
前記送信手段および前記受信手段は、電気信号と超音波とを相互に変換する相互変換部材を含んでいることを特徴とする請求項１乃至１４のいずれか１項に記載の記録材判別装置。
【請求項１６】
前記相互変換部材は圧電素子であることを特徴とする請求項１５に記載の記録材判別装置。
【請求項１７】
前記制御手段は、前記送信手段と前記受信手段との間に記録材が搬送されていない状態で得られた前記受信信号の振幅と、前記送信手段と前記受信手段との間に記録材が搬送されている状態で得られた前記受信信号の振幅とから前記超音波の透過係数を求め、前記透過係数に基づき前記記録材の種類を判別することを特徴とする請求項１乃至１６のいずれか１項に記載の記録材判別装置。
【請求項１８】
前記制御手段は、前記記録材の種類として、前記記録材の厚みまたは坪量を判別することを特徴とする請求項１乃至１１のいずれか１項に記載の記録材判別装置。
【請求項１９】
記録材に画像を形成する画像形成手段と、
異なる極性を有する２つの端子を含み、前記２つの端子から駆動信号を出力する送信制御手段と、
異なる極性を有する２つの端子を含み、前記送信制御手段から出力された前記駆動信号が前記２つの端子に入力されることによって超音波を送信する送信手段と、
異なる極性を有する２つの端子を含み、前記送信手段から送信された超音波を受信して、受信した超音波に応じて前記２つの端子から受信信号を出力する受信手段と、
異なる極性を有する２つの端子を含み、前記受信手段から出力された前記受信信号が前記２つの端子に入力される受信制御手段と、
前記受信制御手段に入力された前記受信信号に基づいて、前記送信制御手段の２つの端子と前記送信手段の２つの端子の組、前記受信手段の２つの端子と前記受信制御手段の２つの端子の組のいずれか一方の組が、それぞれ極性が一致しないように接続されており、他方の組が、それぞれ極性が一致するように接続されている所定の状態であるか否かを判断し、前記所定の状態であると判断した場合、前記受信信号の波形を反転させるように制御し、波形が反転させられた前記受信信号であって、前記送信手段と前記受信手段の間に記録材が搬送された状態で得られた前記受信信号の振幅値に基づいて、前記画像形成手段の画像形成条件を設定する制御手段と、
を有することを特徴とする画像形成装置。
【請求項２０】
記録材に画像を形成する画像形成手段と、
異なる極性を有する２つの端子を含み、前記２つの端子から駆動信号を出力する送信制御手段と、
異なる極性を有する２つの端子を含み、前記送信制御手段から出力された前記駆動信号が前記２つの端子に入力されることによって超音波を送信する送信手段と、
異なる極性を有する２つの端子を含み、前記送信手段から送信された超音波を受信して、受信した超音波に応じて前記２つの端子から受信信号を出力する受信手段と、
異なる極性を有する２つの端子を含み、前記受信手段から出力された前記受信信号が前記２つの端子に入力される受信制御手段と、
記録材の種類の判別のために用いられる複数の情報が記憶された記憶手段と、
前記受信制御手段に入力された前記受信信号に基づいて、前記送信制御手段の２つの端子と前記送信手段の２つの端子が、それぞれ極性が一致するように接続され、かつ前記受信手段の２つの端子と前記受信制御手段の２つの端子が、それぞれ極性が一致するように接続されている、または、前記送信制御手段の２つの端子と前記送信手段の２つの端子が、それぞれ極性が一致しないように接続され、かつ前記受信手段の２つの端子と前記受信制御手段の２つの端子が、それぞれ極性が一致しないように接続されている第１の状態であるか、もしくは、前記送信制御手段の２つの端子と前記送信手段の２つの端子が、それぞれ極性が一致するように接続され、かつ前記受信手段の２つの端子と前記受信制御手段の２つの端子が、それぞれ極性が一致しないように接続されている、または、前記送信制御手段の２つの端子と前記送信手段の２つの端子が、それぞれ極性が一致しないように接続され、かつ前記受信手段の２つの端子と前記受信制御手段の２つの端子が、それぞれ極性が一致するように接続されている第２の状態であるかを判断する判断手段と、
前記判断手段が前記第１の状態であると判断した場合、前記記憶手段に記憶された前記複数の情報の中から第１の情報を選択し、前記判断手段が前記第２の状態であると判断した場合、前記記憶手段に記憶された前記複数の情報の中から前記第１の情報とは異なる第２の情報を選択する選択手段と、
前記選択手段によって選択された情報と、前記送信手段と前記受信手段の間に記録材が搬送された時に得られた前記受信信号の振幅値に基づいて、前記画像形成手段の画像形成条件を設定する制御手段と、
を有することを特徴とする画像形成装置。
【手続補正２】
【補正対象書類名】明細書
【補正対象項目名】０００６
【補正方法】変更
【補正の内容】
【０００６】
本発明は、たとえば、異なる極性を有する２つの端子を含み、前記２つの端子から駆動信号を出力する送信制御手段と、異なる極性を有する２つの端子を含み、前記送信制御手段から出力された前記駆動信号が前記２つの端子に入力されることによって超音波を送信する送信手段と、異なる極性を有する２つの端子を含み、前記送信手段から送信された超音波を受信して、受信した超音波に応じて前記２つの端子から受信信号を出力する受信手段と、異なる極性を有する２つの端子を含み、前記受信手段から出力された前記受信信号が前記２つの端子に入力される受信制御手段と、前記受信制御手段に入力された前記受信信号に基づいて、前記送信制御手段の２つの端子と前記送信手段の２つの端子の組、前記受信手段の２つの端子と前記受信制御手段の２つの端子の組のいずれか一方の組が、それぞれ極性が一致しないように接続されており、他方の組が、それぞれ極性が一致するように接続されている所定の状態であるか否かを判断し、前記所定の状態であると判断した場合、前記受信信号の波形を反転させるように制御し、波形が反転させられた前記受信信号であって、前記送信手段と前記受信手段の間に記録材が搬送された状態で得られた前記受信信号の振幅値に基づいて、前記記録材の種類を判別する制御手段と、を有することを特徴とする記録材判別装置を提供する。
【手続補正３】
【補正対象書類名】明細書
【補正対象項目名】発明の名称
【補正方法】変更
【補正の内容】
【発明の名称】記録材判別装置および画像形成装置